(57)【要約】【課題】  ジャム用紙の更なる破損を確実に防止し、適切なジャム処理を行わせるようにユーザを誘導する画像形成装置を提供する。【解決手段】  ジャム発生判断部は、ジャム用紙検出センサの出力信号に基づき、給紙カセットから用紙排出部までの用紙搬送路上でジャムが発生したか否かを判断し（♯１）、ジャムが発生したものと判断すると（♯１でＹＥＳ）、給紙カセットの近傍に配置されたジャム用紙検出センサからの出力信号に基づき、給紙カセットから用紙が繰り出し中か否かを判断する（♯２）。その結果、給紙カセットから用紙が繰り出し中である場合には（♯２でＹＥＳ）、ロック制御部は、ロック機構によるロック動作を行わせる（♯３）。これにより、給紙カセットの移動が規制される。その結果、ユーザは、給紙カセットの引き出しができないことを知り、開閉カバーの開放によるジャム処理に誘導される。【選択図】      図６
2005263375.tif 000002
【特許請求の範囲】
【請求項１】
装置本体から引き出し可能に構成された用紙収納体に積層状態で収納された用紙を、前記引き出し方向と交差する方向に前記用紙収納体から間欠的に繰り出し、その繰り出した用紙を用紙搬送路上に備えられた搬送部材により挟持しながら所定の画像形成位置に搬送し、その用紙に対して画像形成を行う画像形成装置であって、
前記用紙収納体から繰り出し中の用紙にジャムが発生したことを検出するジャム検出手段と、
前記用紙収納体の移動を規制可能に構成された規制手段と、
前記ジャム検出手段によりジャムの発生が検知された場合、前記規制手段に前記用紙収納体の移動を規制させる規制制御手段と
を備えることを特徴とする画像形成装置。
【請求項２】
前記搬送部材は、前記用紙収納体から繰り出し中の用紙を挟持して搬送する搬送部材を含み、その搬送部材を露出可能に構成された開閉扉を備えることを特徴とする請求項１に記載の画像形成装置。
【請求項３】
前記規制手段による前記用紙収納体の移動規制を解除する指示を入力するための操作手段を備え、前記規制制御手段は、前記操作手段により前記移動規制の解除指示が入力されると、前記規制手段による前記用紙収納体の移動規制を解除させることを特徴とする請求項１または２に記載の画像形成装置。
【請求項４】
前記ジャム検出手段は、所定の検出位置で用紙の存在を検出する用紙検出手段と、前記用紙の存在を検出した旨を示す信号の出力時間が、その用紙の搬送方向の長さと用紙の搬送速度とを用いて算出される時間より長いときに、その用紙にジャムが発生したものと判断する判断手段とを備えることを特徴とする請求項１ないし３のいずれかに記載の画像形成装置。
【発明の詳細な説明】
【技術分野】
【０００１】
本発明は、用紙を積層状態で収納する用紙収納体から用紙を１枚ずつ繰り出して所定の画像形成位置に搬送し、その用紙に画像形成を行うプリンタや複写機等の画像形成装置に関する。
【背景技術】
【０００２】
用紙に画像形成を行う画像形成装置は、例えば図７に示すように、装置本体において上部から順に、画像読取部１０１、用紙排出部１０２、画像形成部１０３及び給紙部１０４を備えて構成され、画像読取部１０１において原稿の画像が読み取られるとともに給紙部１０４から用紙が１枚ずつ繰り出されて画像形成部１０３に搬送され、その画像形成部１０３により帯電、露光、現像及び転写等の画像形成動作が行われた後、用紙排出部１０２に画像形成後の用紙が排出される。
【０００３】
給紙部１０４には、用紙を積層状態で収納する給紙カセット（用紙トレイ）が、装置本体から図７の手前側に引き出し可能に備えられ、用紙は、この給紙カセットの引き出し方向と交差する方向（図７の左側）に繰り出されて搬送ローラにより挟持されつつ上方の画像形成部１０３に搬送される。なお、下記特許文献１には、この給紙部の構造に関する提案がなされている。
【０００４】
このように装置内部において積層された用紙を繰り出して上方に搬送する画像形成装置１００は、給紙カセットから装置本体の側壁側に向かって水平方向に繰り出した用紙を、給紙カセット近傍に配設された搬送ローラ１０５によりその搬送方向を上向きに変えた後、装置の側壁に沿って画像形成部１０３まで搬送するように構成されているのが一般的である。
【０００５】
そして、この種の画像形成装置１００にあっては、例えば搬送ローラ１０５による挟持の際に紙詰まりを起こす（ジャムが発生する）ことを想定して、通常、この側壁の一部が開閉扉１０６として開閉可能に構成されており、その開閉扉１０６を開放することで前記搬送ローラ１０５を含む所定領域が露出し、この搬送ローラ１０５等で紙詰まりを起こした用紙（ジャム用紙）を容易に短時間で除去できるように構成されている。
【特許文献１】特開平６−１８３５７９号公報
【発明の開示】
【発明が解決しようとする課題】
【０００６】
しかしながら、画像形成装置を利用するユーザのうち、ジャムが発生したときに開閉扉１０６を開放することでジャム用紙を容易に除去できることを知らないユーザにあっては、開閉扉１０６を開放せずに給紙カセットを引き出してジャム用紙を除去しようとする場合がある。この場合、用紙が給紙カセットから繰り出し中であったときには、その用紙は一端側が搬送ローラ１０５により挟持された状態でその他端側が給紙カセットの引き出しに伴って引っ張られる。そのため、その給紙カセット上の用紙が更に破損することがあり、このように用紙が破損すると、ユーザがジャム用紙を処理するのに多大な時間や労力を要する場合が生じる。
【０００７】
なお、前記特許文献１には、この給紙カセットの引き出しによる用紙の更なる破損を防止することを目的として、ジャムを処理するために一度開けられたカバーが閉じられたことを開閉検知センサにより検知するまで用紙トレイ（給紙カセット）のロックを持続させる技術が提案されている。しかし、そのカバーが閉じられた場合には、ジャム用紙が給紙装置上に残存していた場合であってもロックが解除されるため、この場合にも、前述と同様に用紙が存在する状態で給紙カセットが引き出される状態が発生し得ることとなり、給紙カセットが引き出されたときには、用紙の更なる破損を招く。
【０００８】
本発明は、上記事情に鑑みてなされたもので、ジャム用紙の更なる破損を確実に防止し、適切なジャム処理を行わせるようにユーザを誘導する画像形成装置を提供することを目的とする。
【課題を解決するための手段】
【０００９】
請求項１に記載の発明は、装置本体から引き出し可能に構成された用紙収納体に積層状態で収納された用紙を、前記引き出し方向と交差する方向に前記用紙収納体から間欠的に繰り出し、その繰り出した用紙を用紙搬送路上に備えられた搬送部材により挟持しながら所定の画像形成位置に搬送し、その用紙に対して画像形成を行う画像形成装置であって、前記用紙収納体から繰り出し中の用紙にジャムが発生したことを検出するジャム検出手段と、前記用紙収納体の移動を規制可能に構成された規制手段と、前記ジャム検出手段によりジャムの発生が検知された場合、前記規制手段に前記用紙収納体の移動を規制させる規制制御手段とを備えることを特徴とするものである。
【００１０】
請求項２に記載の発明は、請求項１に記載の画像形成装置において、前記搬送部材は、前記用紙収納体から繰り出し中の用紙を挟持して搬送する搬送部材を含み、その搬送部材を露出可能に構成された開閉扉を備えることを特徴とするものである。
【００１１】
請求項３に記載の発明は、請求項１または２に記載の画像形成装置において、前記規制手段による前記用紙収納体の移動規制を解除する指示を入力するための操作手段を備え、前記規制制御手段は、前記操作手段により前記移動規制の解除指示が入力されると、前記規制手段による前記用紙収納体の移動規制を解除させることを特徴とするものである。
【００１２】
請求項４に記載の発明は、請求項１ないし３のいずれかに記載の画像形成装置において、前記ジャム検出手段は、所定の検出位置で用紙の存在を検出する用紙検出手段と、前記用紙の存在を検出した旨を示す信号の出力時間が、その用紙の搬送方向の長さと用紙の搬送速度とを用いて算出される時間より長いときに、その用紙にジャムが発生したものと判断する判断手段とを備えることを特徴とするものである。
【発明の効果】
【００１３】
請求項１に記載の発明によれば、ジャムが発生したときには、用紙収納体の引き出しを規制するようにしたので、ジャムの発生時に用紙収納体が引き出されることで、給紙カセットから繰り出し中のジャム用紙が更に破損し、ジャム処理がさらに面倒になるのを未然に且つ確実に防止することができる。なお、当該用紙に先行して繰り出された用紙の装置内での搬送中に当該用紙が用紙収納体から繰り出される場合においてその先行用紙にジャムが発生したときにも、当該用紙をジャムが発生した用紙の概念に含む。
【００１４】
請求項２に記載の発明によれば、開閉扉を開放することによる適切なジャム処理にユーザを誘導することができる。
【００１５】
請求項３に記載の発明によれば、規制手段による用紙収納体の移動規制を解除する指示を入力するための操作手段を備え、この操作手段により移動規制の解除指示が入力されると、用紙収納体の移動規制を解除するようにしたので、用紙収納体が引き出されることでジャム用紙が更に破損することになっても該用紙収納体を引き出す必要性がある装置内の何らかの異常が発生した場合には、該用紙収納体の引き出しを許容して、ユーザにその装置内の異常に対処させることができる。
【００１６】
請求項４に記載の発明によれば、所定の検出位置で用紙の存在を検出する用紙検出手段により出力される存在検出信号の出力時間が、その用紙の搬送方向の長さと用紙の搬送速度とを用いて算出される時間より長いときに、その用紙にジャムが発生したものと判断するようにしたので、ジャムの発生を確実に検知することができる。
【発明を実施するための最良の形態】
【００１７】
以下、本発明に係る画像形成装置の一実施形態を図面に基づいて説明する。図１は、本実施形態に係る画像形成装置の内部構成を示す正面図である。なお、図１において、手前及び左右を画像形成装置の前方及び左右というものとする。
【００１８】
図１に示すように、画像形成装置１は、上方から順に、画像読取部２、画像形成部３及び用紙供給部４を備えて構成されている。
【００１９】
画像読取部２は、左右に移動可能に構成されたＣＣＤ（Charge Coupled Device）センサ及び露光ランプ等からなる原稿読取部５と、ガラス等の透明部材により構成された原稿台６と、前面側が上方に移動可能となるように装置本体に回動自在に支持された開閉蓋７とを備えてなり、ＣＣＤセンサを原稿台６に載置された原稿の原稿面に沿って該原稿面を相対的に走査するように駆動し、当該原稿の画像をライン単位で画像信号に変換して取り込むものである。画像読取部２は、順次取り込んだ画像信号に所定の信号処理（レベル補正、γ補正、Ａ／Ｄ変換等）を施した後、後述の制御部３４（図５参照）に出力する。
【００２０】
画像形成部３は、画像読取部２で取得された画像信号に基づきレーザ光等を出力して感光体ドラム８を露光する光学ユニット９と、感光体ドラム８上にトナー像を形成する現像部１０と、感光体ドラム８上のトナー像を用紙に転写する転写部１１と、トナー像が転写された用紙を加熱してトナー像を用紙に定着させる定着部１２と、画像形成部３内の用紙搬送路中に設けられ、用紙を原稿排出部１３まで搬送する搬送ローラ１４等とを備える。
【００２１】
画像形成装置１の前面側適所には、操作部１５が設けられている。操作部１５は、印刷実行指示、印刷部数等を入力するための各種ボタン１６やテンキー１７と、画像形成動作についての各種操作ガイド情報等の表示及び設定入力用のタッチパネル機能を備えた液晶ディスプレイ等からなる表示部１８とを有する。
【００２２】
用紙供給部４は、複数枚の用紙Ｐを積層状態で収納する給紙カセット１９を備え、給紙カセット１９内の用紙Ｐを、バネ等からなる図略の付勢機構により該用紙Ｐ側に付勢された給紙ローラ２０の回転動作により、最上位置の用紙Ｐを１枚ずつ右側から左側に向けて繰り出す。また、用紙供給部４は、搬送ローラ２４〜２６により画像形成部３の所定位置まで搬送するとともに、後述する感光体ドラム８の表面に形成されたトナー像と用紙Ｐの先端位置とを合わせるように搬送タイミングを図った上で、感光体ドラム８と転写部１１との間に搬送する。給紙カセット１９は、図１の紙面裏側から表側に向けて装置本体１ａから外部に引き出すことで用紙Ｐの補給が可能となるように構成されている。なお、給紙カセット１９及び搬送ローラ２４〜２６は、特許請求の範囲における用紙収納体及び搬送部材の一例である。
【００２３】
図１，図２に示すように、用紙供給部４の一側方には、装置本体１ａに下端部が回動可能に軸支された状態で開閉可能な開閉カバー２７が備えられている。例えば搬送ローラ２４により用紙Ｐを挟持する際に該用紙Ｐが紙詰まりを起こしたとき（図２にはジャム用紙Ｐ’と表記）には、この開閉カバー２７を開放し搬送ローラ２４を外部に露出させることで、そのジャム用紙を容易に除去することができるようになっている。以下、ジャム用紙の除去作業をジャム処理という。開閉カバー２７は、特許請求の範囲の開閉扉に相当するものである。
【００２４】
開閉カバー２７及び装置本体１ａには、該開閉カバー２７の開放／閉塞を検知する開閉検知機構２８が構成されている。開閉検知機構２８は、詳細には図示しないが、例えば装置本体１ａに対向状態で設置される一対の投受光器と、開閉カバー２７の適所に設置される遮光部材とを備えてなり、開閉カバー２７が開放されたときには、投受光器間で光が授受される一方、開閉カバー２７が閉塞されたときには、遮光部材がその光の授受を遮断するように構成されている。後述の制御部３４は、受光器の出力信号に基づき開閉カバー２７が開放されたことを検知すると、ジャム処理が開始されるものと判断し、開閉カバー２７が閉塞されたことを検知すると、ジャム処理が完了されたものと判断する。
【００２５】
ジャム用紙検出センサ２９は、対向状態で配置された発光素子及び受光素子を備えて構成されており、用紙搬送路上の複数の位置に設置されている。発光素子は、例えば発光ダイオード等で構成され、受光素子は、例えばフォトトランジスタ等で構成されている。発光素子から出力される光が受光素子で受光されるとき、該受光素子からＨ（ハイ）の信号が出力され、発光素子から受光素子への光が遮光されるとき、該受光素子からＬ（ロー）の信号が出力される。
【００２６】
ジャムが発生していないときには、用紙Ｐが給紙カセット１９から間欠的に搬送されることから、図３（ａ）に示すように、用紙Ｐが発光素子と受光素子との間を通るＬ（ロー）の期間Ｔ１（時間ｔ１）と、次の用紙が発光素子と受光素子との間に搬送されるまでのＨ（ハイ）の期間Ｔ２（時間ｔ２）とが周期的に発生する。時間ｔ１は、用紙Ｐの搬送方向の長さと用紙Ｐの搬送速度とに応じて定まる値である。一方、ジャムが発生したときには、発光素子と受光素子との間に用紙Ｐが前記時間ｔ１以上滞留するため、受光素子から前記時間ｔ１以上の期間Ｌ（ロー）の信号が出力される。
【００２７】
これに基づき、後述する制御部３４は、ハイからローへの立下りタイミングから時間ｔ１後にハイからローへ立上がる図３（ａ）に示す信号を受信したときにはジャムは発生していないものと判断し、ハイからローへの立下りタイミングから時間ｔ１が経過してもハイからローへ立上がらない図３（ｂ）に示す信号を受信したときにはジャムが発生したものと判断する。
【００２８】
特に、本実施形態では、給紙カセット１９の用紙出口近傍であり且つ転写ローラ２４の近傍の位置にジャム用紙検出センサ２９が備えられており、該センサ２９の出力信号に基づき、転写ローラ２４の近傍におけるジャム発生の有無だけでなく、給紙カセット１９から用紙Ｐが繰り出し中であるか否かについても検出できるように構成されている。なお、ジャム用紙検出センサ２９は、特許請求の範囲における用紙検出手段の一例である。
【００２９】
ところで、画像形成装置１は、前述のように、給紙カセット１９から繰り出し中の用紙Ｐに搬送ローラ２４又はその近傍でジャムが発生したときには、開閉カバー２７を開放することで容易にジャム処理を行うように構成されているが、ユーザによっては、このような構成を知らずに、ジャムの発生時に給紙カセット１９を引き出してジャム用紙を除去しようとする場合がある。
【００３０】
また、給紙カセット１９から繰り出し中の用紙Ｐに先行して搬送された用紙（先行用紙）に、例えば画像形成部３と用紙排出部１３との間の用紙搬送路等、搬送ローラ２４又はその近傍位置以外の他の位置でジャムが発生したときには、当該用紙Ｐの給紙カセット１９からの繰り出しを含む全ての用紙Ｐの搬送が停止することにより、搬送ローラ２４に挟持された当該用紙Ｐを、もしくは給紙カセット１９から繰り出し中の当該用紙Ｐを給紙カセット１９を引き出すことで除去しようとする場合も考えられる。
【００３１】
しかし、給紙カセット１９の引き出し時に、用紙Ｐがすでに給紙カセット１９から途中まで繰り出されている場合、その用紙Ｐの一端側は搬送ローラ２４により挟持され、一方、他端側は給紙カセット１９の引き出しに伴って引っ張られるため、繰り出し中の用紙Ｐの一部又は全部が引きちぎられることがある。このような状況が発生すると、ジャム処理が面倒となり、余計な時間や労力が費やされることとなる。
【００３２】
そこで、本実施形態では、このような状況の発生を未然に防止すべく、給紙カセット１９から用紙Ｐの繰り出し中にジャムが発生したときには、給紙カセット１９の移動を規制し、ユーザによる給紙カセット１９の引き出しを禁止するように構成している。
【００３３】
上記のような構成を実現すべく、本実施形態の画像形成装置１は、以下に説明するロック機構３０を備えている。なお、ロック機構３０は、特許請求の範囲における規制手段の一例である。
【００３４】
図４は、ロック機構３０の一構成例を示す平面図である。ロック機構３０は、例えば給紙カセット１９の右側方に設置されており、図４に示すように、装置本体１ａに設置されたソレノイド３１及びアーム３２と、給紙カセット１９に形成された係合穴１９ａとを備えて構成されている。なお、ロック機構３０の配設位置は、給紙カセット１９の右側方に限らず、どこでもよい。
【００３５】
アーム３２は、その略中央部で支持軸Ｏにより回動自在に軸支されたＬ字状の部材であり、アーム本体３２ａの一端部はソレノイド軸３１ａに回動自在に取り付けられている一方、その他端部は、該アーム本体３２ａから略垂直に給紙カセット１９側に向けて突出して形成されている。
【００３６】
このような構成を有するロック機構３０において、ソレノイド３１の作動によりソレノイド軸３１ａが突出すると、アーム３２の他端部が給紙カセット１９の右側壁に形成された係合穴１９ａに係合し、給紙カセット１９の引き出し（矢印Ａに示す方向の移動）が規制（ロック）される一方、ソレノイド軸３１ａが退避すると、アーム３２と給紙カセット１９の係合穴１９ａとの係合が解除され、給紙カセット１９の引き出しが可能となる。
【００３７】
図１に戻り、本実施形態では、前述のジャム用紙検出センサ２９及びロック機構３０の他に、前記操作部１５には、前記ロック機構３０によるロックを解除する指示を入力するための解除ボタン３３が設けられており、この解除ボタン３３を押圧操作することで、ロック機構３０によるロックが解除される。なお、このように所定の部材を用いて解除ボタン３３を設ける形態に限らず、表示部１８に仮想的な解除ボタンを備えるようにしてもよい。また、解除ボタン３３は、特許請求の範囲の操作手段の一例である。
【００３８】
このような解除ボタン３３を設けているのは、例えば開閉カバー２７を開いてジャム用紙を除去しようとしたものの全てのジャム用紙を除去しきれずに残りのジャム用紙が給紙カセット１９上に残存してしまい、その残りのジャム用紙を給紙カセット１９を引き出して除去せざるを得ないような状況が発生したときや、給紙カセット１９が引き出されることでジャム用紙が更に破損することになっても給紙カセット１９を引き出す必要性がある何らかの異常が発生した場合に、ユーザがそれらの異常に対処できるようにするためである。
【００３９】
次に、画像形成装置１の電気的な構成を説明する。図５は、画像形成装置１の電気的な構成を示すブロック図である。
【００４０】
図５に図示されている画像読取部２、画像形成部３、用紙供給部４、開閉検知機構２８、ジャム用紙検出センサ２９及びロック機構３０は、図１に示す画像読取部２、画像形成部３、用紙供給部４、開閉検知機構２８、ジャム用紙検出センサ２９及びロック機構３０に相当するものであり、前述のような構成をそれぞれ有するものである。
【００４１】
制御部３４は、画像形成装置１全体の動作を司るものであり、例えば画像形成装置１の動作を制御するための制御プログラム等を記憶するＲＯＭ（Read Only Memory）、一時的にデータを保管するＲＡＭ（Random Access Memory）等からなる図略の記憶部、及び制御プログラム等をＲＯＭから読み出して実行するマイクロコンピュータ等から構成されている。
【００４２】
また、前述のようなロック処理を実行すべく、制御部３４は、機能的に、ジャム発生判断部３５と、ロック制御部３６と、ジャム処理完了判断部３７とを有する。なお、ジャム発生判断部３５及びロック制御部３６は、特許請求の範囲における判断手段及び規制制御手段に相当する。
【００４３】
ジャム発生判断部３５は、ジャム用紙検出センサ２９からの出力信号に基づき、ジャムの発生の有無及び給紙カセット１９から用紙Ｐが繰り出し中であるか否かを判断するものである。すなわち、図３（ａ）に示す信号（周期的にハイとローとが切換わる信号）を受信しているとき、ジャムは発生していないものと判断し、図３（ｂ）に示す信号（ローが時間ｔ１以上継続する信号）を受信したとき、ジャムが発生したものと判断する。また、給紙カセット１９の出口近傍に配置されたジャム用紙検出センサ２９からロー信号が出力されている間は、給紙カセット１９から用紙Ｐが繰り出し中であると判断する。これらの判断結果を示す信号はロック制御部３６に出力される。
【００４４】
ロック制御部３６は、ジャム発生判断部３５によりジャムが発生していないものと判断されたときには、ロック機構３０のソレノイド３１を作動させず、給紙カセット１９の移動を許可する一方、ジャム発生判断部３５によりジャムが発生したものと判断されると、ソレノイド３１を作動させ、給紙カセット１９の移動を規制するものである。
【００４５】
また、ロック制御部３６は、解除ボタン３３が押圧操作されると、ソレノイド３１を作動させ、給紙カセット１９の移動規制を解除する。
【００４６】
ジャム処理完了判断部３７は、ジャムの発生後において開閉検知機構２８及びジャム用紙検出センサ２９から出力される信号に基づいて、ジャム処理が完了したか否かを判断するものである。すなわち、ジャム処理が完了した場合には、ジャム用紙検出センサ２９からハイ信号が出力され、且つ開閉検知機構２８から前記開放信号が出力されたのち閉塞信号が出力されることから、このときジャム処理完了判断部３７は、ジャム処理が完了したものと判断し、一方、開閉検知機構２８及びジャム用紙検出センサ２９から出力される信号がそれ以外の場合には、ジャム処理が未完了であると判断する。
【００４７】
なお、制御部３４を機能的にジャム発生判断部３５、ロック制御部３６及びジャム処理完了判断部３７として機能させるプログラムは、ＲＯＭ、ＣＤ−ＲＯＭ等の記録媒体を通じて供給することも、通信回線等の伝送媒体を通じて供給することも可能である。
【００４８】
図６は、本発明に係る画像形成装置１のロック処理を示すフローチャートである。
【００４９】
図６に示すように、ジャム発生判断部３５は、ジャム用紙検出センサ２９の出力信号に基づき、給紙カセット１９から用紙排出部１３までの用紙搬送路上でジャムが発生したか否かを判断する（ステップ♯１）。ジャムが発生していない場合には（ステップ♯１でＮＯ）、制御部３４は、図６のフローチャートに示す処理を行わない。また、ジャム発生判断部３５は、ジャムが発生したものと判断すると（ステップ♯１でＹＥＳ）、給紙カセット１９の近傍に配置されたジャム用紙検出センサ２９からの出力信号に基づき、給紙カセット１９から用紙が繰り出し中か否かを判断する（ステップ♯２）。
【００５０】
その結果、給紙カセット１９から用紙が繰り出し中である場合には（ステップ♯２でＹＥＳ）、ロック制御部３６は、ロック機構３０によるロック動作を行わせる（ステップ♯３）。これにより、給紙カセット１９の移動が規制される。その結果、ユーザは、給紙カセット１９の引き出しができないことを知り、開閉カバー２７の開放によるジャム処理に誘導される。
【００５１】
そして、ジャム処理完了判断部３７は、開閉カバー２７が未だ開放されていない状態、または開閉カバー２７が開放されたが開閉カバー２７が閉塞されていない状態を検知している間は（ステップ♯４でＮＯ）、ステップ♯１に戻り、開閉カバー２７が閉塞されたことを検知すると（ステップ♯４でＹＥＳ）、ロック制御部３６は、ロック機構３０によるロック動作を解除させる（ステップ♯５）。
【００５２】
以上のように、給紙カセット１９から用紙を繰り出し中にジャムが発生したときには、その給紙カセット１９の移動を規制するようにしたので、ジャムの発生時に給紙カセット１９が引き出されることでジャム用紙が更に破損し、ジャム処理が面倒になるのを未然に且つ確実に防止することができる。
【００５３】
また、操作部１５に、ロック機構３０によるロックを解除する指示を入力するための解除ボタン３３を設けたので、給紙カセット１９が引き出されることでジャム用紙が更に破損することになっても給紙カセット１９を引き出す必要性のある何らかの異常が発生した場合等に、それらの異常に対する対処が可能となる。
【００５４】
本発明は、前述の実施形態に限らず、例えば以下の変形形態（１），（２）を採用することも可能である。
【００５５】
（１）給紙カセット１９が、用紙の大きさに応じて複数多段に設けられているときには、各給紙カセット１９に対応してジャム用紙検出センサ２９及びロック機構３０を備え、いずれかの給紙カセット１９から用紙の繰り出し中にその給紙カセット１９の移動を規制するようにするとよい。
【００５６】
（２）画像形成装置は、ファクシミリ、プリンタ、コピー機等、用紙等に画像を形成する装置全般を含んでおり、本発明は、これら全てに適用可能である。
【図面の簡単な説明】
【００５７】
【図１】本発明の実施形態に係る画像形成装置の内部構成を示す正面図である。
【図２】開閉カバーの動作を説明するための図である。
【図３】（ａ）は、ジャム用紙が発生していない場合のジャム用紙検出センサからの出力信号を示す図、（ｂ）は、ジャム用紙が発生した場合のジャム用紙検出センサからの出力信号を示す図である。
【図４】ロック機構の一構成例を示す平面図である。
【図５】画像形成装置の電気的な構成を示すブロック図である。
【図６】画像形成装置のロック処理を示すフローチャートである。
【図７】従来の画像形成装置の概略構成を示す図である。
【符号の説明】
【００５８】
１９  給紙カセット
２４  搬送ローラ
２７  開閉カバー
２８  開閉検知機構
２９  ジャム用紙検出センサ
３０  ロック機構
３３  解除ボタン
３５  ジャム発生判断部
３６  ロック制御部
３７  ジャム処理完了判断部
【図１】
2005263375.tif 000003
【図２】
2005263375.tif 000004
【図３】
2005263375.tif 000005
【図４】
2005263375.tif 000006
【図５】
2005263375.tif 000007
【図６】
2005263375.tif 000008
【図７】
2005263375.tif 000009